(57)【要約】      （修正有）【課題】施工現場の天井面や壁面の不陸や突出物等の状況に柔軟に対応し、間仕切り枠又はクロ−ゼット枠に簡単に相互に切り替え可能な施工性の良い安価な枠材で、しかも製造業者や流通業者にとって製品在庫や仕掛かり在庫の種類と数量が削減可能な間仕切り枠兼用クロ−ゼット枠を提供する。【解決手段】引き戸又は折戸等の建具の左右縦枠３及び上枠２を構成する枠体１であって、該枠体１は、平板部Ｈと該平板部Ｈの前端に略直角に設けられた幕板Ｄからなる断面形状略Ｌ字型を有する長尺の枠体本体Ｇと、該枠体本体Ｇの平板部Ｈの後端に取り付け可能に設けられた調整幕板Ｍとで構成されており、前記平板部後端と調整幕板Ｍとが接する箇所に平板部後端と調整幕板Ｍを脱着自在に接続し係止するための係止手段Ｋを設けるようにした。【選択図】        図１
2005036462.tif 000002
【特許請求の範囲】
【請求項１】
引き戸又は折戸等の建具の左右縦枠及び上枠を構成する枠体であって、該枠体は、平板部と該平板部の前端に略直角に設けられた幕板からなる断面形状略Ｌ字型を有する長尺の枠体本体と、該枠体本体の平板部の後端に取り付け可能に設けられた調整幕板とで構成されており、前記平板部後端と調整幕板とが接する箇所に平板部後端と調整幕板を脱着自在に接続し係止するための係止手段を設けたことを特徴とする間仕切り枠兼用クロ−ゼット枠。
【請求項２】
前記係止手段が前記枠体本体の平板部の後端木口面に形成された凹部又は凸部と該凹部又は凸部対応位置に互いに嵌合可能に設けられた前記調整幕板の凸部又は凹部であることを特徴とする請求項１に記載の間仕切り枠兼用クロ−ゼット枠。
【請求項３】
前記係止手段が前記枠体本体の平板部の後端木口面及び調整幕板の対応位置に設けられた係止部材からなり、該係止部材が、所定の大きさのパイルと該パイルに刺し込まれる所定長さを有する突起部の先端に前記パイルに絡む逆鉤状の係止部が設けられた係止部材であることを特徴とする請求項１に記載の間仕切り枠兼用クロ−ゼット枠。
【請求項４】
前記係止手段が前記枠体本体の平板部の後端木口面及び調整幕板の対応位置に設けられた再剥離可能な接着手段であることを特徴とする請求項１に記載の間仕切り枠兼用クロ−ゼット枠。
【請求項５】
前記係止手段が前記枠体本体の平板部の後端木口面及び調整幕板の対応位置に設けられた磁石と該磁石に磁着する金属片であることを特徴とする請求項１に記載の間仕切り枠兼用クロ−ゼット枠。
【発明の詳細な説明】
【０００１】
【発明の属する技術分野】
本発明は建物などに使用される引き戸又は折戸等の建具の左右縦枠及び上枠を構成する枠体に関し、詳しくは間仕切り用と収納用（クロ−ゼット用）とで兼用可能な枠体に関する。
【０００２】
【従来の技術】
従来、住宅等建築物の内部に使用される折戸又は引き戸として、間仕切り用や開口部用としてでなく、収納スペ−スの前面に使用される収納用（クロ−ゼット用）戸板として用いる場合は、その枠材は、図６の（イ）に示すように、平板部１１ｂとその前端に略直角に設けられた幕板１１ａからなり、クロ−ゼット用枠材１１の断面形状が略Ｌ字型で構成されている。該枠材１１の幕板１１ａの表面は化粧されているが、平板部１１ｂの後端部は外部から見えないので、特に表面化粧材を用いての化粧仕上げは施されておらず、間仕切り用又は開口部用としては使用できなかった。（例えば、特許文献１、２参照）。
【０００３】
また、間仕切り用または開口部用の戸板として用いる場合の、間仕切り用枠材１２は、図６の（ロ）に示すように、平板部１２ｂの両端部に略直角に幕板１２ａが設けられている。この場合、両方の幕板表面が外部から見えるので、両面化粧が施されている。
【０００４】
また、建物の内部で引き戸又は折戸を取り付け施工する際、使用形態として、間仕切り用の引き戸又は折戸として使用するか又は収納用（クロ−ゼット用）の引き戸又は折戸として使用するか、いずれかの使用形態が施主によって選択されていた。
【０００５】
間仕切り用として使用される場合は、戸板両面が外部から見えるので、引き戸又は折戸の戸板として、表裏両面化粧が施されたものを使用する必要があるのは勿論のこと、戸板の上部の上枠、及び両サイドの左右縦枠においても裏面側から見ても見苦しくないように両面化粧されたものを用いる必要があった。
【０００６】
一方、収納用（クロ−ゼット用）の戸板として使用される場合は、戸板の裏面側は収納内部空間側であり、従って裏面側は外部からは見えない箇所である。それゆえ、収納用（クロ−ゼット用）の戸板は表面のみの片面化粧で良く、収納用（クロ−ゼット用）の枠材にとっても、両面化粧の必要性は無く、外部から見える幕板１１ａの前面のみの片面化粧で十分であった。
【０００７】
また、間仕切り用戸板として使用される場合は、仕切られた部屋間で視覚的に遮蔽されていることが必要である。一方、収納用（クロ−ゼット用）戸板として使用される場合は、このような視覚的な遮蔽は必要でない。さらに、間仕切り用戸板として使用される場合は、引き戸や折戸の走行のための上部ガイドレ−ルや上部の吊り車等の装着具が仕切られた部屋の両側から視覚的に隠されていることが必要である。一方、収納用（クロ−ゼット用）戸板として使用される場合は、部屋の居室側の片方の側のみから隠蔽されておれば十分である。
【０００８】
間仕切り用戸板に用いる開口枠で、固着具が外部に露出しないように化粧縦枠や化粧横枠を被着させ、さらに化粧縦枠に隙間隠し部材を装着した構造の間仕切り用開口枠の取付け構造がある。（例えば、特許文献３参照）。
【０００９】
【特許文献１】
特開２０００−２５７３４８号公報（第１−６頁、第１図）
【特許文献２】
特開平８−２１００１８号公報（第１−３頁、第１図、第２図）
【特許文献３】
特開平９−２５０２７６号公報（第１−６頁、第１図、第３図）
【００１０】
【発明が解決しようとする課題】
生活する人のライフスタイルの変遷が時代と共に、めまぐるしく変化する昨今において、住宅のリフォ−ム需要が最近ますます増加している。このような変化の時代において、住宅の一部材である建具枠においても、間仕切り用と収納用（クロ−ゼット用）とで相互に簡単に切り替えられるものが望まれてきた。
【００１１】
しかしながら、従来から有る建具枠は、例えば収納用（クロ−ゼット用）枠材から間仕切り用枠材へ切り替える場合、枠材裏面側が外部から見えてもよいように化粧が施されておらず、さらに、上部のガイドレ−ルや吊り車等を視覚的に隠蔽する後縁材の機能を持たせる特別の部材が用意されておらず、工事店に依頼して特別に注文し作製しなければならず、そのための費用と時間が負担となっていた。
【００１２】
また、逆に収納用（クロ−ゼット用）枠材から間仕切り用枠材へ切り替える場合も、裏面側の不要な後縁材を取り付けたままで使用することになるので見栄えは問題ないが、不要な後縁材の分だけ無駄で非経済的である。このように、従来の建具用の枠材は間仕切り用と収納用（クロ−ゼット用）とで兼用できるようには設計されておらず、使用する側にとってみれば非経済的で無駄の多いものであった。このようにして、間仕切り用と収納用（クロ−ゼット用）とで枠材を兼用することが極めて困難であった。施工現場で加工して間仕切り枠からクロ−ゼット枠への変更又はその逆にクロ−ゼット枠から間仕切り枠への変更は極めて困難であった。
【００１３】
前記リフォ−ムに対応するためには、従来、引き戸又は折戸用の枠材は間仕切り用と収納用（クロ−ゼット用）とで両方の枠材を別々に用意していた。工場での生産段階から、流通在庫、末端の販売店におけるまで、在庫を別々に両方用意せざるを得なかった。
【００１４】
枠体の表裏に前縁材と後縁材を設け化粧面を両面仕上げとした間仕切り用枠材を必要とするか、又は後縁材を省いた断面略Ｌ字型の収納用（クロ−ゼット用）枠材を必要とするかは、現場の設計事項であり、施主がハウスメ−カ−と相談して決定されることである。また、施工現場において、可能な範囲で、施主の要望に従って施工途中で仕様変更がなされることも多々あった。
【００１５】
このために、間仕切り用枠材と収納用（クロ−ゼット用）枠材の両方を施主の希望で自由に選択できるように間仕切り用枠材と収納用枠材（クロ−ゼット用枠材）の両方を用意しておかなければならなかった。従来、間仕切り用とクロ−ゼット用とで兼用可能な枠材がなかったので、このため施工業者にとって、両タイプを別々に在庫して使い分ける必要があり、施工現場で仕様変更があったとしても、枠体を取り寄せし直すのに手間がかかり日数的にもかかる場合が多く、経済的にも、施工の工期的にも大変不利であった。また、部材メ−カ−にとっても両タイプを生産しなければならず、部材点数の増加は負担になっていた。
【００１６】
本発明の目的は、間仕切り用枠と収納用枠（クロ−ゼット用枠）に兼用できて施工現場の天井面壁面の不陸や突出物等の状況に柔軟に対応して簡単に切り替え可能な施工性の良い建具枠材を安価に提供し、しかも製造業者や流通業者にとって製品在庫や仕掛かり在庫の種類と数量を削減しその負担を軽減することにある。
【００１７】
【課題を解決するための手段】
上記目的を達成するために本発明に係る請求項１に記載の発明は、引き戸又は折戸等の建具の左右縦枠及び上枠を構成する枠体であって、該枠体は、平板部と該平板部の前端に略直角に設けられた幕板からなる断面形状略Ｌ字型を有する長尺の枠体本体と、該枠体本体の平板部の後端に取り付け可能に設けられた調整幕板とで構成されており、前記平板部後端と調整幕板とが接する箇所に平板部後端と調整幕板を脱着自在に接続し係止するための係止手段を設けたことを特徴とする。
【００１８】
係る構成から、住宅のリフォ−ムに際して建具枠材を間仕切り用枠から収納用枠（クロ−ゼット用枠）へまた、その逆に収納用枠（クロ−ゼット用枠）から間仕切り用枠へ変更する場合、枠体の平板部とその前縁材としての幕板とで構成される断面略Ｌ字型を有する枠体本体と平板部後端に取り付ける後縁材としての調整幕板とで枠体が構成され、平板部後端と調整幕板とが接する箇所に脱着自在の係止手段が設けられているので、間仕切り用枠と収納用枠（クロ−ゼット用枠）とで極めて簡単に切り替え可能で施工性が良く切り替えの施工費用の負担も少ない両タイプ兼用の枠材が安価に提供できる。しかも、間仕切り用枠と収納用枠（クロ−ゼット用枠）とで兼用できるので、製造業者、流通業者にとって在庫の種類を減らすことができ、製品在庫数や仕掛かり在庫数の削減も可能となる。
【００１９】
請求項２に記載の発明は、請求項１に記載の間仕切り枠兼用クロ−ゼット枠において、前記係止手段が前記枠体本体の平板部の後端木口面に形成された凹部又は凸部と該凹部又は凸部対応位置に互いに嵌合可能に設けられた前記調整幕板の凸部又は凹部であることを特徴とする。
【００２０】
係る構成から、前記係止手段が、前記枠体本体の平板部の後端木口面と調整幕板に設けられた凸部又は凹部であり、それらが互いに嵌合可能に設けられているので、前記、間仕切り用枠と収納用枠（クロ−ゼット用枠）両タイプ兼用で相互の切り替えが簡単で施工性が良く、安価に済み、在庫の種類と数量削減にとってよりいっそう好適である。
【００２１】
請求項３に記載の発明は、請求項１に記載の間仕切り枠兼用クロ−ゼット枠において、前記係止手段が前記枠体本体の平板部の後端木口面及び調整幕板の対応位置に設けられた係止部材からなり、該係止部材が、所定の大きさのパイルと該パイルに刺し込まれる所定長さを有する突起部の先端に前記パイルに絡む逆鉤状の係止部が設けられた係止部材であることを特徴とする。
【００２２】
係る構成から、前記、間仕切り用枠と収納用枠（クロ−ゼット用枠）両タイプ兼用で相互の切り替えが簡単で施工性が良く安価に済み、在庫の種類と数量削減にとってよりいっそう好適である。しかも、前記係止手段が、パイルに刺し込まれる突起部の先端にパイルに絡む逆鉤状の係止部が設けられた係止部材であるので、枠体本体の前記平板部の後端部とそれに対応する位置の調整幕板に前記係止部材を貼着するだけで、他に特別な加工を必要とせず現場での施工性にとってよりいっそう好適である。
【００２３】
さらに、前記調整幕板を取り付ける箇所の天井面や壁面に多少の不陸や突出部があって取付に障害が生じても、調整幕板取付位置をわずかにずらして取り付けることができ、取付箇所の天井面、壁面の不陸や突出物を避けながら取付できるので、調整幕板取付位置の自由度にとっても好適であり、施工現場の状況に応じた取付が可能となり、取付位置の自由度が向上する。
【００２４】
請求項４に記載の発明は請求項１に記載の間仕切り枠兼用クロ−ゼット枠において、前記係止手段が前記枠体本体の平板部の後端木口面及び調整幕板の対応位置に設けられた再剥離可能な接着手段であることを特徴とする。
【００２５】
係る構成から、前記、間仕切り用枠と収納用枠（クロ−ゼット用枠）両タイプ兼用で相互の切り替えが簡単で施工性が良く安価に済み、在庫の種類と数量削減にとってよりいっそう好適であり、施工現場の天井面や壁面の不陸や突出物を避けながら施工できるので調整幕板取付位置の自由度にとっても好適であり、しかも、再剥離可能な接着手段として、両面接着テ−プや両面粘着テ−プ、ホトメルト系接着剤又はその他のものが利用できるが、いずれにしても使用が極めて簡単でコスト的にも極めて安価で、施工性、コストにとってよりいっそう好適である。
【００２６】
請求項５に記載の発明は請求項１に記載の間仕切り枠兼用クロ−ゼット枠において、前記係止手段が前記枠体本体の平板部の後端木口面及び調整幕板の対応位置に設けられた磁石と該磁石に磁着する金属片であることを特徴とする。
【００２７】
係る構成から、前記、間仕切り用枠と収納用枠（クロ−ゼット用枠）両タイプ兼用で相互の切り替えが簡単で施工性が良く安価に済み、在庫の種類と数量削減にとってよりいっそう好適であり、取付箇所の天井面、壁面の不陸や突出物を避けながら取付できるので調整幕板取付位置の自由度にとっても好適である。
【００２８】
【発明の実施の形態】
以下、本発明の実施の形態の一例を説明する。図１（イ）は本発明の間仕切り枠兼用クロ−ゼット枠の実施形態の一例を示す斜視図で、（ロ）はそのＡ−Ａ線断面図、（ハ）はそのＢ−Ｂ線断面図である。図２は本発明の間仕切り枠兼用クロ−ゼット枠の枠体本体と調整幕板を脱着自在に係止するための係止手段の実施形態の一例を示す分解斜視図と組立断面図で、（イ）は調整幕板を係止する手段として突条とそれに対応する条溝の例を示し、（ロ）は前記係止手段として嵌合突部とそれに対応する嵌合穴の例を示す。
【００２９】
図３（イ）は本発明の間仕切り枠兼用クロ−ゼット枠の枠体本体と調整幕板を脱着自在に係止するための係止手段の実施形態の他の例を示す分解斜視図で、前記係止手段が、パイルとそれに刺し込まれて絡む逆鉤状の係止部を先端に持つ所定長さを有する突起とからなる係止部材の例を示す。（ロ）は前記係止部材の突起がパイルに刺し込まれた状態を示す拡大断面模式図である。
【００３０】
図４は本発明の間仕切り枠兼用クロ−ゼット枠の枠体本体と調整幕板を脱着自在に係止するための係止手段の実施形態の他の例を示す分解斜視図で、前記係止手段が、前記枠体本体の平板部の後端木口面及び調整幕板の対応位置に設けられた再剥離可能な接着手段の例を示す。
【００３１】
図５は本発明の間仕切り枠兼用クロ−ゼット枠の枠体本体と調整幕板を脱着自在に係止するための係止手段の実施形態の他の例を示す分解斜視図で、前記係止手段が、前記枠体本体の平板部の後端木口面及び調整幕板の対応位置に設けられた磁石と該磁石に磁着する金属片の例を示す。
【００３２】
図１において、本発明の間仕切り枠兼用クロ−ゼット枠は一例として、上枠２と左右の縦枠３とで３方向の枠体１を構成する。床面（図示せず）側に下枠を設けて四方枠としてもよい。枠体１を構成する上枠２、左右縦枠３は枠体本体Ｇと調整幕板Ｍとで構成されている。前記枠体本体Ｇは平板部Ｈと該平板部Ｈの前端に略直角に設けられた幕板Ｄからなり、断面形状で略Ｌ字型を有する棒状体である。
【００３３】
前記上枠２の枠体本体Ｇの左右両端部には欠き込み部Ｖが形成されており、この欠き込み部Ｖの箇所で左右縦枠３の上端部と接続され本例に示す三方枠が形成されている。
【００３４】
前記枠体本体Ｇの平板部Ｈの後端部と前記調整幕板Ｍの上端部が係止手段Ｋによって脱着自在に係止される構成となっており、枠体本体Ｇと調整幕板Ｍとが接する箇所に前記係止手段Ｋが設けられている。
【００３５】
本発明の間仕切り枠兼用クロ−ゼット枠の材質は合板、ＬＶＬ、パ−ティクルボ−ド、ＬＶＳ（ＬＶＬを芯としその両面にＭＤＦを貼着した積層板）等の木質材料の他、塩ビ、ポリエステル、ポリスチレン、ウレタン樹脂等からなる合成樹脂成型体やアルミ、鋼板等の金属が好適に用いられる。また、本発明の間仕切り枠兼用クロ−ゼット枠のサイズは用いる戸板が折戸であるか又は引き戸であるかによっても異なり、また、戸板に使用される吊り車やガイドレ−ル等によっても異なり、折戸や引き戸の間口寸法、高さ寸法によっても異なるが、いずれにしても従来型戸板枠の寸法に準じたサイズでよい。
【００３６】
図２の（イ）において、本発明の間仕切り枠兼用クロ−ゼット枠の係止手段Ｋの一例は、枠体本体Ｇのの平板部Ｈの後端部の木口面に条溝Ｊが平板部Ｈの長手方向に沿って形成されている。前記条溝Ｊは平板部Ｈの長手方向の全長に亘って形成されていてもよいし、また、短い条溝Ｊを間隔をおいて、とびとびに設けてもよい。一方、調整幕板Ｍの上部に長手方向に沿って、前記条溝Ｊに対応する位置に突条Ｔが形成されている。前記条溝Ｊと突条Ｔとは互いに嵌合する形状及び寸法となっている。逆に、前記枠体本体Ｇの平板部Ｈの後端部の木口面に突条Ｔを設け、調整幕板Ｍの上部に長手方向に沿って、前記突条Ｔに対応する位置に条溝Ｊを設けても良い。前記条溝Ｊと突条Ｔとを嵌合させる前の断面形状略Ｌ字型の枠体本体Ｇのままで収納用枠（クロ−ゼット用枠）として機能する。また、前記条溝Ｊと突条Ｔとを互いに嵌合させると、断面形状略コの字型の間仕切り枠が完成する。
【００３７】
前記条溝Ｊと突条Ｔとは嵌合具合として若干ゆるめにしておくことが大切である。きつく嵌合させてしまうと、調整幕板Ｍを枠体本体Ｇの平板部Ｈ後端部に接続する時はよいが、逆に取り外す時に取り外せなくなる。手の力で簡単に取り外せて且つ自然に脱落することのない程度の嵌合具合で嵌合させることが大切である。また、前記条溝Ｊと突条Ｔとを嵌合させる際に接着剤を併用しないことも必要である。
【００３８】
本例において、前記枠体本体Ｇの平板部Ｈの後端部に形成された条溝Ｊに調整幕板裏面上部に形成された突条Ｔを適度な力で打入して両者を取付固定する。この時条溝Ｊと突条Ｔの嵌合度を適度にゆる目にしておくことが大切で、脱落防止に念のために、ところどころに両面粘着テ−プと併用すると良い。取り外す場合は手で引き剥がすと簡単に取り外すことができる。
【００３９】
図２の（ロ）において、一例として、本発明の間仕切り枠兼用クロ−ゼット枠の係止手段Ｋの他の例として、枠体本体Ｇのの平板部Ｈの後端部の木口面に嵌合穴Ｎが平板部Ｈの長手方向に沿って複数個形成されている。前記嵌合穴Ｎは少なくとも平板部Ｈの長手方向の両端部に各１個形成する必要がある。平板部Ｈの長さ方向の中央部は必要に応じて嵌合穴Ｎを形成すればよい。一方、調整幕板Ｍの上部に長手方向に沿って、前記嵌合穴Ｎに対応する位置に嵌合突部Ｒが形成されている。前記嵌合穴Ｎと嵌合突部Ｒとは互いに嵌合する形状及び寸法となっている。前記嵌合穴Ｎと嵌合突部Ｔとを嵌合させる前においては、断面形状略Ｌ字型の枠体本体Ｇのままで収納用枠（クロ−ゼット用枠）として機能する。また、前記嵌合穴Ｎと嵌合突部Ｒとを互いに嵌合させると、断面形状略コの字型の間仕切り枠が完成する。逆に、前記枠体本体Ｇのの平板部Ｈの後端部の木口面に嵌合突部Ｒを設け、調整幕板Ｍの上部の対応位置に嵌合穴Ｎを設けても良い。
【００４０】
前記嵌合穴Ｎと嵌合突部Ｒとは嵌合具合として若干ゆるめにしておくことが大切である。きつく嵌合させてしまうと、調整幕板Ｍを枠体本体Ｇの平板部Ｈ後端部に接続する時はよいが、逆に取り外す時に取り外せなくなる。手の力で簡単に取り外せて且つ自然に脱落することのない程度の嵌合具合で嵌合させることが大切である。また、前記嵌合穴Ｎと嵌合突部Ｒとを嵌合させる際に接着剤を併用しないことも必要である。
【００４１】
前記嵌合突部Ｒを調整幕板Ｍの裏面上部に形成する方法は、調整幕板の所定の位置にダボ穴を設け該ダボ穴に木ダボを打ち込むことで簡単にできる。木ダボ以外に半硬質の合成樹脂成型体で作製されたプラスチックダボであってもよい。
【００４２】
前記枠体本体Ｇの平板部Ｈの後端部に形成された嵌合穴Ｎに調整幕板裏面上部に形成された嵌合突部Ｒを適度な力で打入して両者を取付固定する。この時嵌合穴Ｎと嵌合突部Ｒの嵌合度をゆる目にしておくことが大切で、脱落防止に念のために、ところどころに両面粘着テ−プと併用するとよい。取り外す場合は手で引き剥がすと簡単に取り外すことができる。
【００４３】
図３（イ）において、本発明の間仕切り枠兼用クロ−ゼット枠の係止手段Ｋの他の例は、枠体本体Ｇの平板部Ｈの後端部の木口面及び該木口面に対応する調整幕板Ｍの裏面上部に係止部材Ｂが設けられている。該係止部材Ｂは前記枠体本体Ｇの平板部Ｈの後端部の木口面及びそれに対応する調整幕板Ｍの裏面上部の全長に亘って設けられていてもよいし、また、短い係止部材Ｂを間隔をおいてとびとびに設けてもよい。
【００４４】
前記係止部材ＢはパイルＰと突起部Ｃとから構成されている。前記突起部Ｃの先端に逆鉤状の係止部Ｓが設けられている。図３（ロ）に示すように、係止部材Ｂはパイルシ−トＰＳと突起シ−トＣＳとから構成されている。該パイルシ−トＰＳはパイルＰが集合したシ−ト状物であり、突起シ−トＣＳは突起部Ｃが集合してできたシ−ト状物である。突起部ＣがパイルＰに指し込まれ、突起部Ｃの先端に設けられた逆鉤状の係止部ＳがパイルＰに引っかかってパイルＰと突起部Ｃが係止される。このようにしてパイルＰと突起部Ｃが一対となって係止する構成となっている。このような仕組みで本発明の係止部材Ｂが構成されている。
【００４５】
枠体本体Ｇの平板部Ｈの後端部の木口面にパイルシ−トＰＳ又は突起シ−トＣＳのいずれかが設けられ、残りが、調整幕板Ｍの裏面上部の対応位置に設けられる。パイルＰと突起部Ｃは互いに接触させると相互に係止され、手で引き剥がすと比較的簡単に剥離可能である。
【００４６】
さらに詳述すると、前記係止部材Ｂは細かな多数の前記パイルＰがシ−ト状に設けられたパイルシ−トＰＳと前記多数の突起部Ｃがシ−ト状に設けられた突起シ−トＣＳとからなり、該パイルシ−トＰＳと突起シ−トＣＳとがパイルＰと突起部Ｃを向かい合わせるようにして互いに圧接されると、突起部Ｃの先端に設けられた逆鉤状の係止部ＳがパイルＰに刺さり込んで、パイルＰと突起部Ｃが係止される。逆に調整幕板Ｍを取り外す場合は、手で引き剥がすと簡単に取り外すことができる。
【００４７】
また、枠体本体Ｇを施工する施工現場の周囲の天井面、左右の壁面等に施工誤差による不陸が生じていても、調整幕板Ｍを取り付ける際に枠体本体Ｇと調整幕板Ｍの取付位置関係を差し支えない範囲で少しずらせながら、前記不陸を回避して取付固定が可能となる。
【００４８】
図４において、本発明の間仕切り枠兼用クロ−ゼット枠の係止手段Ｋの他の例は、枠体本体Ｇの平板部Ｈの後端部の木口面及び該木口面に対応する調整幕板Ｍの裏面上部に再剥離可能な接着手段Ａが設けられている。該再剥離可能な接着手段Ａは前記枠体本体Ｇの平板部Ｈの後端部の木口面及びそれに対応する調整幕板Ｍの裏面上部の全長に亘って設けられていてもよいし、また、短い接着手段Ａを間隔をおいてとびとびに設けてもよい。
【００４９】
前記再剥離可能な接着手段Ａとして、両面粘着テ−プ、熱可塑性樹脂からなるホットメルト系接着剤を好適な例として挙げることができる。前者の両面粘着テ−プは常温でしかも軽く圧着するだけで両被着体どうしをを接着することができる。また、後者の熱可塑性樹脂からなるホットメルト系接着剤は、例えば、アクリル樹脂、酢酸ビニル系樹脂接着剤等が適する。一例を挙げれば、エチレン・酢酸ビニル系ホットメルト接着剤（商品名：ナイメルト＃５７５、日東化成株式会社製）がある。
【００５０】
前記熱可塑性樹脂接着剤の塗布方法は、従来から有る方法でよく、施工現場で簡単に塗布可能な方法として手作業での刷毛塗り、簡易ロ−ル塗布、スプレ−塗布等で、枠体本体Ｇの平板部Ｈの後端部とそれに対応する調整幕板Ｍの裏面上部に、その長手方向に沿って全長に亘って塗布してもよいし、また、間隔をあけてとびとび状に部分塗布してもよい。ホットメルト系接着剤を塗布後、枠体本体Ｇと調整幕板Ｍを互いに圧接し、ハンディ−タイプの高周波加熱機を調整幕板Ｍの表面側から照射してホットメルト系接着剤を接着可能な程度まで溶融させると接着力が発現し、この状態で圧接したまま高周波照射を短時間継続させ、その後照射を止めると自然に冷却されてホットメルト接着剤が固化し接着が完了する。高周波照射の周波数はおよそ４０キロヘルツ〜６０キロヘルツ程度で、高周波照射時間はおよそ３０秒〜９０秒程度でよい。使用する熱可塑性樹脂接着剤の種類によって適宜選択すれば良い。
【００５１】
枠体本体Ｇと調整幕板Ｍとを引き剥がす場合は、両面粘着テ−プの場合は手で引き剥がすと比較的簡単に取り外すことが可能である。また、ホトメルト系接着剤の場合は、施工現場で、前記高周波加熱機を用いて再度照射しホットメルト系接着剤を溶融させてやれば簡単に剥離させることができる。
【００５２】
また、枠体本体Ｇを施工する施工現場の周囲の天井面、左右の壁面等に施工誤差による不陸が生じていても、調整幕板Ｍを取り付ける際に枠体本体Ｇと調整幕板Ｍの取付位置関係を差し支えない範囲で少しずらせながら、前記不陸を回避して取付固定が可能となる。
【００５３】
図５において、本例では、枠体本体Ｇの平板部Ｈの後端部に金属片Ｆが設けられており、これに対応する調整幕板Ｍの裏面上部に磁石Ｅが設けられている。逆に、枠体本体Ｇの平板部Ｈの後端部に磁石Ｅを設け、これに対応する調整幕板Ｍの裏面上部に金属片Ｆを設けても良い。本例において、該金属片Ｆは前記枠体本体Ｇの平板部Ｈの木口面の全長に亘って設けられていてもよいし、また、間隔をおいて、とびとびに設けられていてもよい。一方前記磁石Ｅにおいても、調整幕板Ｍの対応位置の長手方向の全長に亘って設けられていてもよいし、また、間隔をおいてとびとびに設けられていてもよい。
【００５４】
金属片Ｆがとびとびに設けられている場合は、磁石Ｅは調整幕板Ｍの裏面上部の対応位置の長手方向の全長に亘って設けられてもよいし、また、とびとびに設けられた金属片Ｆの対応する位置にのみとびとびに設けられてもよい。逆に前記磁石Ｅがとびとびに設けられている場合は、前記金属片Ｆは長手方向の全長に亘って設けられてもよいし、また、とびとびに設けられた磁石Ｅに対応する位置にのみ、とびとびに設けてもよい。調整幕板Ｍを取り外す場合は、磁石によって磁着されているだけなので、手で引き剥がすと簡単に取り外すことができる。
【００５５】
また、枠体本体Ｇを施工する施工現場の周囲の天井面、左右の壁面等に施工誤差による不陸が生じていても、調整幕板Ｍを取り付ける際に枠体本体Ｇと調整幕板Ｍの取付位置関係を差し支えない範囲で少しずらせながら、前記不陸を回避して取付固定が可能となる。
【００５６】
【発明の効果】
以上のように本発明によれば枠体本体と調整幕板を用意し、枠体本体の平板部後端部木口面と、それに対応する調整幕板の裏面上部の位置に脱着自在の係止手段を設けたので、簡単に枠体本体と調整幕板を互いに取り付けたり逆に取り外したりでき、間仕切り枠とクロ−ゼット枠に兼用可能となる。また、施工現場の天井面、壁面に多少の不陸や突出部があっても、それを避けながら取付施工ができ、しかも間仕切り枠とクロ−ゼット枠が兼用可能となるので、製造業者や流通業者にとって製品在庫や仕掛かり在庫の種類と数量を削減することが可能となる。
【図面の簡単な説明】
【図１】本発明の間仕切り枠兼用クロ−ゼット枠の実施形態の一例を示す。
（イ）斜視図
（ロ）Ａ−Ａ線断面図
（ハ）Ｂ−Ｂ線断面図
【図２】本発明の係止手段の実施形態の一例を示す分解斜視図と組立断面図。
（イ）係止手段として突条と該突条に対応する条溝の例を示す。
（ロ）係止手段として嵌合突部と該嵌合突部に対応する嵌合穴の例を示す。
【図３】本発明の係止手段の実施形態の他例を示す。
（イ）係止手段としてパイルと逆鉤状の係止部の例を示す分解斜視図。
（ロ）パイルと逆鉤状の係止部の係止状態を示す拡大断面模式図。
【図４】本発明の係止手段の実施形態の他例を示す分解斜視図で係止手段として再剥離可能な接着手段の例を示す。
【図５】本発明の係止手段の実施形態の他例を示す分解斜視図で係止手段として磁石と該磁石に磁着する金属片の例を示す。
【図６】従来の戸板用枠材の例を示す。
（イ）クロ−ゼット枠の例を示す斜視図。
（ロ）間仕切り枠の例を示す斜視図。
【符号の説明】
１      枠体
２      上枠
３      縦枠
Ｇ      枠体本体
Ｈ      平板部
Ｄ      幕板
Ｍ      調整幕板
Ｖ      欠き込み部
Ｋ      係止手段
Ｊ      条溝
Ｔ      突条
Ｎ      嵌合穴
Ｒ      嵌合突部
Ｂ      係止部材
ＰＳ    パイルシ−ト
Ｐ      パイル
ＣＳ    突起シ−ト
Ｃ      突起部
Ｓ      逆鉤状の係止部
Ａ      再剥離可能な接着手段
Ｅ      磁石
Ｆ      金属片
１１    従来のクロ−ゼット枠
１１ａ  幕板
１１ｂ  平板部
１２    従来の間仕切り枠
１２ａ  幕板
１２ｂ  平板部
【図１】
2005036462.tif 000003
【図２】
2005036462.tif 000004
【図３】
2005036462.tif 000005
【図４】
2005036462.tif 000006
【図５】
2005036462.tif 000007
【図６】
2005036462.tif 000008